(57)【要約】【課題】端子金具を小型化するとともに、ゴム栓の弾発力を確保する。【解決手段】ゴム栓１０は、端子金具７０を接続させた電線９０の端末に嵌着され、端子金具７０に形成された一対のかしめ片７６がかしめ付けられる円筒状の受け部１１を備える。受け部１１は、一対のかしめ片７６と対向する側面部１８の厚み方向の一部を切除して形成された除肉部１９を有している。したがって、両かしめ片７６が端子金具７０の厚み方向に膨らみ出るのを防止できる。【選択図】図１
2008262841.tif 000002
【特許請求の範囲】
【請求項１】
端子金具を接続させた電線の端末に嵌着され、前記端子金具に形成された一対のかしめ片がかしめ付けられる円筒状の受け部を備えたゴム栓であって、
前記受け部は、前記一対のかしめ片と対向する側面部の厚み方向の一部または全部を切除して形成された除肉部を有していることを特徴とするゴム栓。
【請求項２】
前記除肉部は、前記一対のかしめ片と対向する側面部の厚み方向の一部を薄肉化して形成されていることを特徴とする請求項１に記載のゴム栓。
【請求項３】
前記受け部の内周は前記電線の外周に対応する真円形をなし、前記受け部の外周は前記除肉部の面方向に長い長円形をなしていることを特徴とする請求項２に記載のゴム栓。
【請求項４】
前記除肉部は、前記一対のかしめ片と対向する側面部の厚み方向の全部を貫通して形成されていることを特徴とする請求項１に記載のゴム栓。
【請求項５】
請求項１ないし請求項４のいずれかに記載のゴム栓を備えた防水コネクタであって、
前記端子金具が挿入されるキャビティを有し、前記キャビティの内壁に前記ゴム栓が密着されることで前記キャビティ内のシールがとられるようになっており、かつ、前記キャビティが一方向に複数並列して形成されていることを特徴とする防水コネクタ。
【発明の詳細な説明】
【技術分野】
【０００１】
本発明は、ゴム栓及び防水コネクタに関する。
【背景技術】
【０００２】
特許文献１に記載のゴム栓は、端子金具を接続させた電線の端末に嵌着され、端子金具がコネクタのキャビティ内に挿入されることにより、キャビティの内壁に密着してコネクタ内をシールするようになっている。ゴム栓には、端子金具に形成された一対のかしめ片がかしめ付けられる受け部が形成されている。この受け部は、断面真円環状であって全体が薄肉化されており、その側面部から上面部にかけて一対のかしめ片が捲着されるようになっている。
【特許文献１】特開２００４−２８８４３２公報
【発明の開示】
【発明が解決しようとする課題】
【０００３】
ところで、近年のコネクタ小型化の要請により、コネクタのキャビティの開口径は小さく抑えられる傾向にあり、ひいてはこのキャビティ内に挿入される端子金具も小型化する必要性が高くなっている。しかし、上記の端子金具の場合、ゴム栓の受け部の外側に一対のかしめ片が配置される構成であるため、両かしめ片が幅方向に膨らみ出ることとなり、小径のキャビティへの挿入が両かしめ片によって規制されるという事情がある。
【０００４】
一方、キャビティの開口径を従前通りとして隣接するキャビティ間のピッチを狭めた構成とすると、キャビティ間の隔壁が相当に薄くなって成形が困難になるという事情がある。  
また、ゴム栓の受け部の肉厚を全体的にさらに薄くすることにより、両かしめ片の出っ張り量を相対的に抑えることは可能となるが、このように受け部全体の肉厚を減じてしまうと、弾発力の不足を招くおそれもある。
【０００５】
本発明は上記のような事情に基づいて完成されたものであって、端子金具を小型化するとともに、ゴム栓の弾発力を確保することを目的とする。
【課題を解決するための手段】
【０００６】
上記の目的を達成するための手段として、請求項１の発明は、端子金具を接続させた電線の端末に嵌着され、前記端子金具に形成された一対のかしめ片がかしめ付けられる円筒状の受け部を備えたゴム栓であって、前記受け部は、前記一対のかしめ片と対向する側面部の厚み方向の一部または全部を切除して形成された除肉部を有している構成としたところに特徴を有する。
【０００７】
請求項２の発明は、請求項１に記載のものにおいて、前記除肉部は、前記一対のかしめ片と対向する側面部の厚み方向の一部を薄肉化して形成されているところに特徴を有する。
【０００８】
請求項３の発明は、請求項２に記載のものにおいて、前記受け部の内周は前記電線の外周に対応する真円形をなし、前記受け部の外周は前記除肉部の面方向に長い長円形をなしているところに特徴を有する。
【０００９】
請求項４の発明は、請求項１に記載のものにおいて、前記除肉部は、前記一対のかしめ片と対向する側面部の厚み方向の全部を貫通して形成されているところに特徴を有する。
【００１０】
請求項５の発明は、請求項１ないし請求項４のいずれかに記載のゴム栓を備えた防水コネクタであって、前記端子金具が挿入されるキャビティを有し、前記キャビティの内壁に前記ゴム栓が密着されることで前記キャビティ内のシールがとられるようになっており、かつ、前記キャビティが一方向に複数並列して形成されている構成としたところに特徴を有する。
【発明の効果】
【００１１】
＜請求項１及び請求項５の発明＞
ゴム栓の受け部は両かしめ片と対向する側面部の厚み方向の一部または全部を切除して形成された除肉部を有するから、その分、端子金具における両かしめ片の出っ張りを小さく抑えることができ、端子金具の幅寸法を小さくできる。結果、キャビティの開口径を小さく設定できるとともに、並列方向で隣接するキャビティ間のピッチを詰めることができる。また、受け部のうち除肉部以外の部分の肉厚は従前通り確保されるから、この部分によって弾発力を得ることができる。
【００１２】
＜請求項２の発明＞
除肉部は一対のかしめ片と対向する側面部の厚み方向の一部を薄肉化して形成され、除肉部からも弾発力を得ることができる。
【００１３】
＜請求項３の発明＞
受け部の内周が電線の外周に対応する真円形をなし、受け部の外周が除肉部の面方向に長い長円形をなしているから、かしめに伴う応力が除肉部に集中するのを防止できる。また、ゴム栓が単体状態にあるときに、受け部に異物が引っ掛かるのを回避できる。
【００１４】
＜請求項４の発明＞
除肉部が一対のかしめ片と対向する側面部の厚み方向の全部を貫通して形成されているから、かしめ片の出っ張りをいっそう小さく抑えることができる。
【発明を実施するための最良の形態】
【００１５】
＜実施形態１＞
本発明の実施形態１を図１ないし図５によって説明する。本実施形態のゴム栓１０は、防水コネクタ６０に適用された場合を例示するものであり、端子金具７０に接続された電線９０の端末（被覆部分）に嵌着されている。
【００１６】
防水コネクタ６０は詳しくは図示しないが合成樹脂製のコネクタハウジング６１を備えている。コネクタハウジング６１には、図５に示すように、複数のキャビティ６２が一方向に横並びで形成されており、各キャビティ６２内に、ゴム栓１０付きの端子金具７０が挿入可能となっている。
【００１７】
端子金具７０は、導電性の金属板を曲げ加工等して形成され、図１に示すように、前後方向に細長い基部７１を備えた雌側端子金具として構成される。基部７１の前部側には本体部７２が形成され、基部７１の後部側にはワイヤバレル７３及びインシュレーションバレル７４が形成されている。
【００１８】
本体部７２は前後両面が開口された箱形をなし、内部に、相手側の雄側端子金具と電気的に接触可能な部分を有している。ワイヤバレル７３は基部７１の両側縁から立ち上げられた一対の圧着片７５を備え、各圧着片７５が電線９０の端末に露出された芯線９１にかしめ付けられる。各圧着片７５は芯線９１の外周面の前後同じ部位に捲着されている。一方、インシュレーションバレル７４は基部７１の両側縁から立ち上げられた一対のかしめ片７６を備え、各かしめ片７６は電線９０の端末に嵌着されたゴム栓１０にかしめ付けられる。各かしめ片７６は、ゴム栓１０の外周面の前後同じ位置に捲着されている。
【００１９】
ゴム栓１０は端子金具７０に個別に取り付けられ、端子金具７０のコネクタハウジング６１への挿入に伴い、ゴム栓１０がキャビティ６２内に挿入されてコネクタハウジング６１内を個別にシールするようになっている。  
このゴム栓１０は、図４に示すように、前後方向に細長い円筒状をなし、前部側に受け部１１を有し、中間部にリップ部１２を有し、後部側に胴部１３を有している。ゴム栓１０の内部には前後方向に貫通する電線挿通孔１４が形成されており、この電線挿通孔１４の孔面（ゴム栓１０の内周面）に電線９０の外周面が密着される。ゴム栓１０が単体状態にあるときに、電線挿通孔１４の孔面、胴部１３の外周面、及びリップ部１２の外周面は、いずれもゴム栓１０の軸中心と同心の真円形をなしている。
【００２０】
胴部１３は厚肉の円筒状をなし、その後端開口から電線挿通孔１４内に挿通される電線９０を周方向から緊密に保持可能とされる。リップ部１２は外周リップ１５と内周リップ１６とから波状に形成され、外周リップ１５がキャビティ６２の内周面に弾縮状態で密着することによってゴム栓１０とコネクタハウジング６１との間が液密とされ、内周リップ１６が電線９０の外周面に弾縮状態で密着することによってゴム栓１０と電線９０との間が液密とされる。
【００２１】
受け部１１は、胴部１３及びリップ部１２よりも薄肉の円筒状をなしている。そして、受け部１１は、一対のかしめ片７６と対向する側面部１８の外周面を厚み方向に部分的に切除することによって周囲より薄肉とされた除肉部１９を有している。この除肉部１９は、両側面部１８の外周面において対をなして周方向に延出する形態であり、夫々、概ね中心角６０度の範囲に亘って配置され、かつ、周方向に同じ厚みをもって同じ高さ位置に同じ形成範囲で配置されている。また、この除肉部１９は、図２に示すように、側面視すると横長の方形状をなし、側面部１８の高さ方向（上下方向）の略中央に配置されている。そして、除肉部１９の外周面は電線挿通孔１４の孔面と平行に配置され、ゴム栓１０の軸中心と同心の円弧をなしている。ここで、ゴム栓１０が単体状態にあるときに、受け部１１の外周面はゴム栓１０の軸中心と同心の真円弧形をなしているが、このうち除肉部１９の外周面は内側へ一段落ちることでその曲率半径が他よりも小さくなっている。
【００２２】
次に、本実施形態の作用効果を説明する。  
まず、電線９０の端末にゴム栓１０を嵌着させる。このとき、ゴム栓１０の受け部１１のうち除肉部１９を除いた厚肉の部分（上下両面部２１）は、従前同様、電線９０に対して比較的強い弾発力を付与し、除肉部１９を含む両側面部１８は電線９０に対して比較的弱い弾発力を付与する。その状態で、端子金具７０の基部７１にゴム栓１０付きの電線９０を受け止めさせる。続いて、かしめ用の治具（図示せず）によって電線９０の芯線９１に一対の圧着片７５をかしめ付けるとともに、ゴム栓１０の受け部１１に一対のかしめ片７６をかしめ付ける。すると、図３に示すように、両かしめ片７６がゴム栓１０の除肉部１９に対して外側から被着される。
【００２３】
上記の場合、両かしめ片７６は、除肉部１９によって受け部１１の厚みが減じられた分、双方間の幅方向の距離が縮められていることに起因し、図１に示すように、平面視によって端子金具７０の本体部７２の幅範囲内に配置されることとなる。したがって、両かしめ片７６が端子金具７０の幅方向に膨らみ出ることはなく、端子金具７０全体として幅寸法を小さく抑えることができる。その結果、コネクタハウジング６１のキャビティ６２の開口径も小さくできるとともに、幅方向で隣接するキャビティ６２間のピッチも狭めることができ、ひいてはこの防水コネクタ６０の小型化を図れる。  
また、除肉部１９は一対のかしめ片７６と対向する側面部１８の厚み方向の一部を薄肉化して形成され、この除肉部１９からも弾発力を得ることができるから、シール性を良好に維持できる。さらに、除肉部１９の外周面が周方向に沿って配置されているから、ここにかしめ片７６が回曲しつつ円滑に巻き付けられる。
【００２４】
＜実施形態２＞
次に、本発明の実施形態２を図６によって説明する。実施形態２ではゴム栓１０の除肉部１９Ａの形態が実施形態１と異なるが、その他の構成は実施形態１と同じである。したがって、実施形態１と同じ構造部位には同一符号を付し、実施形態１と重複する説明は省略する（実施形態３及び実施形態４も同様）。  
この除肉部１９Ａは、相対向する両側面部１８の厚み方向の一部を外側から切除してなり、かつ、高さ方向に沿って垂直でかつ平坦な外面を有している。したがって、この除肉部１９Ａは、上下方向両端部側で厚肉とされ、上下方向中央部側で薄肉とされる。また、左右の除肉部１９Ａの外面間の距離は全高に亘って一定間隔に保たれている。
【００２５】
実施形態２によれば、上下方向両端部側で除肉部１９Ａの厚みが増大する部分を有するから、受け部１１の横幅（横方向のピッチ）を効果的に小さくしつつ全体としての強度が低下するのを防止できる。
【００２６】
＜実施形態３＞
図７及び図８は本発明の実施形態３を示す。実施形態３も実施形態２と同様、ゴム栓１０の除肉部１９Ｃの形態が実施形態１と異なるが、その他の構成は実施形態１と同じである。  
この除肉部１９Ｃは、相対向する両側面部１８の厚み方向の一部を外側から切除してなり、かつ、両側面部１８と直交する方向で相対向する上下両面部２１と円弧状に連なる外周面を有している。したがって、受け部１１は、その内周が電線挿通孔１４の孔面によって真円形をなし、その外周が上下方向（除肉部１９Ｃの外面方向）に長い長円形、詳細には楕円形をなす形状をもって画成される。
【００２７】
実施形態３によれば、受け部１１に外側からかしめ片７６がかしめ付けられたときに、除肉部１９Ｃのみにかしめに伴う応力が集中するのを防止でき、除肉部１９Ｃの疲労を抑えることができる。また、ゴム栓１０が単体状態にあるときに、受け部１１に異物が引っ掛かるのを回避できるとともに、かしめ片７６のかしめ動作を円滑にできる。
【００２８】
＜実施形態４＞
図９は本発明の実施形態４を示す。実施形態４も実施形態２及び実施形態３と同様、ゴム栓１０の除肉部１９Ｄの形態が実施形態１と異なるが、その他の構成は実施形態１と同じである。  
この除肉部１９Ｄは、相対向する両側面部１８の厚み方向の全部を貫通してなり、左右夫々で概ね中心角６０度の範囲に亘って形成されている。つまり、この除肉部１９Ｄは貫通孔として構成されている。
【００２９】
実施形態４によれば、受け部１１に外側からかしめ片７６がかしめ付けられたときに、除肉部１９Ｄの厚みが加算されないから、かしめ片７６の出っ張りをより有効に抑えることができる。
【００３０】
＜他の実施形態＞
本発明は上記記述及び図面によって説明した実施形態に限定されるものではなく、例えば次のような実施形態も本発明の技術的範囲に含まれる。  
（１）両かしめ片は、受け部の外周面の前後異なる部位にかしめ付けられる形態であってもよい。その場合、除肉部は、両かしめ片に対応して受け部の両側面部の外周面の前後異なる位置に形成されるとよい。  
（２）除肉部は、受け部の両側面部を内側から切除して形成されてもよい。  
（３）除肉部は、受け部の両側面部のうちのいずれか一方の側面部に形成されるだけでもよい。  
（４）本発明は、雄側端子金具を接続させた電線の端末に嵌着されるゴム栓及びこのゴム栓を備えた防水コネクタに適用可能である。
【図面の簡単な説明】
【００３１】
【図１】本発明の実施形態１において、電線の端末に嵌着されたゴム栓の受け部に対して端子金具の両かしめ片がかしめ付けられた状態を示す平面図
【図２】電線の端末に嵌着されたゴム栓の受け部に対して端子金具の両かしめ片がかしめ付けられた状態を示す側面図
【図３】電線の端末に嵌着されたゴム栓の受け部に対して端子金具の両かしめ片がかしめ付けられた状態を示す縦断面図
【図４】ゴム栓の側断面図及び縦断面図
【図５】ハウジングのキャビティ内に電線及びゴム栓が挿入された状態を示す模式図
【図６】実施形態２のゴム栓の縦横の断面図
【図７】実施形態３のゴム栓の側面図及び正面図
【図８】実施形態３のゴム栓の側断面図及び縦断面図
【図９】実施形態４のゴム栓の縦横の断面図
【符号の説明】
【００３２】
１０…ゴム栓
１１…受け部
１８…側面部
１９，１９Ａ，１９Ｃ，１９Ｄ…除肉部
７０…端子金具
７６…かしめ片
９０…電線
【図１】
2008262841.tif 000003
【図２】
2008262841.tif 000004
【図３】
2008262841.tif 000005
【図４】
2008262841.tif 000006
【図５】
2008262841.tif 000007
【図６】
2008262841.tif 000008
【図７】
2008262841.tif 000009
【図８】
2008262841.tif 000010
【図９】
2008262841.tif 000011